(57)【特許請求の範囲】
【請求項１】
薄板状で長方形を成すカードが挿入口からはみ出すように収納されるカードケースであって、カードケースの裏側の材料には非接触型ＩＣカード用部材が組み込まれたことを特徴とするカードケース。
【請求項２】
請求項１において、カードが目視情報記載のＩＤカードであることを特徴とするカードケース。
【請求項３】
請求項１において、カードが磁気ストライプ付きカードであることを特徴とするカードケース。
【請求項４】
請求項１において、カードが接触型ＩＣカードであることを特徴とするカードケース。
【請求項５】
請求項２〜４において、目視情報，磁気ストライプに記録された磁気記録情報，接触型ＩＣカードに記録されたＩＣ記録情報及びカードケースの裏側の非接触型ＩＣカード用部材のＩＣチップに記録されたＩＣ記録情報は、何れも独立して使用可能な情報であことを特徴とするカードケース。
【請求項６】
請求項５において、カードケースの裏側の非接触型ＩＣカード用部材のＩＣチップに記録されたＩＣ記録情報には、目視情報，磁気記録情報，接触型ＩＣカードに記録されたＩＣ記録情報と１つ以上共通な情報が含まれていることを特徴とするカードケース。
【発明の詳細な説明】
【０００１】
【発明の属する技術分野】
本発明は、社員証、学生証などのＩＤカード、クレジットカード、キャッシュカード等のカードを持ち歩くときに使用されるカードケースに関する。
【０００２】
【従来の技術】
企業や団体の従業員、職員などは、本人の顔写真がプリントされた社員証などを透明なプラスチックのカードケースに挟んで胸にかざすことで本人を証明している。
また、食品や、精密部品を製造する工場、研究所等では、安全と機密保持のために警備員の目が届かない出入り口に対して社員しか入場できないように、機械による本人チェックを厳しく行なっている。
本人チェックの手段としては、磁気カード、接触または非接触方式のＩＣカードを機械に読み取らせて本人を証明する方法や、これらのカードに記録された暗証番号とカード所持者によって機械に入力された暗証番号を照合させる方法、または、指紋、顔、手などの生体情報を予め装置に記憶させておき、カードを読みとって本人を直接確認する方法など様々な方法が利用されている。
近年、安価で、且つ読取精度が高く、利便性が高い非接触型ＩＣカードの利用が増加している。
企業が、例えば、社員証として従来磁気記録カードを使用していたものを、非接触型ＩＣカードなどに切り替える場合、カードと設置されている装置を切り替えれば済むためにそれほど大きな負担にはならない。
しかし、金融機関、とりわけ銀行のように異なる金融機関同士がキャッシュカードを共通に利用可能なようにしている場合は、１つの銀行の事情によって一方的にカード、装置を新しい非接触ＩＣカード方式等に切り替えるわけにはいかない。
そのために、特開平２−９２６９５号公報では、接触型ＩＣカードを非接触型ＩＣカード対応の装置に対応させるための方法として別途持ち歩いてカードケースに接触型ＩＣカードを装着し、非接触型ＩＣカードとして使用する技術を公開している。
【０００３】
【発明が解決しようとする課題】
前述の発明では、非接触型ＩＣカード装置に対応するために嵩張るカードケースを常時携帯しなければならないなどの欠点がある。
そこで、本発明は、複数の読み取り方式に対応でき、カードをカードケースに収納したままの状態で使用可能な、安価なカードケースを提供するものである。
【０００４】
【課題を解決するための手段】
前記課題の目的を達成するために本発明の請求項１に記載の発明のカードケースは、薄板状で長方形を成すカードが挿入口からはみ出すように収納されるカードケースであって、 カードケースの裏側の材料（以下、カードケースの裏側材料という）には非接触型ＩＣカード用部材が組み込まれたことを特徴とするものである。
【０００５】
請求項２に記載の発明は、請求項１に記載の発明において、カードが目視情報記載のＩＤカードであることを特徴とするものである。
【０００６】
請求項３に記載の発明は、請求項１に記載の発明において、カードが磁気ストライプ付きカードであることを特徴とするものである。
【０００７】
請求項４に記載の発明は、請求項１に記載の発明において、 カードが接触型ＩＣカードであることを特徴とするものである。
【０００８】
請求項５に記載の発明は、請求項２〜４に記載の発明において、目視情報，磁気ストライプに記録された磁気記録情報，接触型ＩＣカードに記録されたＩＣ記録情報及びカードケースの裏側の非接触型ＩＣカード用部材のＩＣチップに記録されたＩＣ記録情報は、何れも独立して使用可能な情報であことを特徴とするものである。
【０００９】
請求項６に記載の発明は、請求項５に記載の発明において、カードケースの裏側の非接触型ＩＣカード用部材のＩＣチップに記録されたＩＣ記録情報には、目視情報，磁気記録情報，接触型ＩＣカードに記録されたＩＣ記録情報と１つ以上共通な情報が含まれていることを特徴とするものである。
【００１０】
【発明の実施の形態】
以下図面を参照して、本発明の実施形態の一例について説明する。図１は、本発明のカードケースについて説明するための図、図２は、図１のＡ−Ａ線断面図、図３は、カードが磁気ストライプ付きカードの場合について説明するための図、図４は、図３のＢ−Ｂ線断面図、図５は、カードが接触型ＩＣカードの場合について説明するための図、図６は、図５のＣ−Ｃ線断面図、図７は、カードケースの裏側の材料に非接触型ＩＣカード部材を組みこんだ状態の一例について説明するための図、図８は、図７のＤ−Ｄ線断面図、図９は、カードケースの裏側材料に組み込まれたＩＣチップの機能について説明するためのブロック図である。
【００１１】
（構成）カード基体１が図１に示すように本発明のカードケース２に収納されている。また、カードケース２の上部以外の左右及び、下部は、黒い太線で表した部分でシールされていて、収納されたカードは、カードケースの表裏材料からはみ出した状態になっている。カード基体１には２つの装置対応の情報記録部が形成されている。その１つは、磁気情報の読み取り書き込みを行なうための磁気ストライプ部４で、カード基体の長辺に平行に形成されている。他の１つは、ＩＣ情報を書き込み、読み出すためのＩＣモジュール３で、カードの中央左側に形成されている。目視情報５は、前述の磁気情報を記録する磁気カード、ＩＣ情報を記録する接触型ＩＣカードにも形成されている。形成される目視情報は、例えば、社員証であればカード所持者の氏名、所属、所持者を識別する社員番号などである。その他の目視情報として、顔写真、指紋等が形成されている場合もある。社員証カードの場合は、カードはバッジ代わりに扱われ、社員は、カードの識別情報が他人から見える状態で身に付けなければならない。
【００１２】
図２は、図１のＡ−Ａ線断面図であるが、カードケースの下部は、接合部２１２で接合されており、カード基体１がカードケース２に収納されている。カード基体には、磁気記録のための磁気部材（４）がカード基体１の表面に埋めこまれ、カード基体と同一面になるように形成されている。また、ＩＣモジュール３の外部端子が、やはりカード基体と略同一面になるように嵌めこまれている。また、前記磁気記録部、ＩＣ記録部と同じ面に目視情報５が形成されている。目視情報の形成方法としては、エンボッシングという方法や、感熱ヘッドとリボンによる転写という方法がある。エンボッシング方法は、金属の型によってカード基体に凹凸文字を形成するもので、転写方法は、感熱ヘッドと転写リボンによってカード基体面に文字または画像を平面状に形成する方法である。転写方法には、溶融型熱転写方法や、昇華型熱転写等の方法がある。社員証カードには所持者の顔写真が形成されているが、多くの場合は昇華型熱転写方法によってカラーで印刷される。
【００１３】
カードケース２は、図２に示すようにカード基体の短辺よりも短く仕上げられている。また、カードの裏側に接するカードケースの裏側材料２２には非接触型ＩＣカード用の部材（表示せず）が組み込まれていて、非接触型ＩＣカード用の部材を含むカードケースの裏側材料２２の片側、または両側は、保護材料で被覆されている（表示せず）。上記非接触型ＩＣカード用部材は、カードケースの外側に形成されても内側に形成されても良いが、前記部材の内ＩＣチップは外部からの衝撃に対して割れ易いためにカードケースの内側に形成されることが好ましい。カードの表側に対応するカードケース材料には、カードに形成された目視情報が外から見えるように透明フィルム２１が選択される。
【００１５】
図３は、カードが磁気ストライプ付きカードの場合で、この場合のカードケースは、磁気ストライプを形成するカードが非接触型ＩＣカード装置でも利用される場合である。このように２つの機能を搭載したカードをハイブリッドカードと呼ぶ場合がある。図３に示すような、磁気カードと、非接触型ＩＣカードのハイブリッドカードは、社員証に多い。例えば、社員証システムとして最初磁気カードシステムを導入したが、工場の一部に磁気カードが使用できない職場が発生したために、一部非接触型ＩＣカードを導入した場合などである。その新しい職場の従業員は、全員非接触型ＩＣカードに切り替えたが社員食堂であるとか、その他の場所で非接触型ＩＣカードは使用できないため、また、全職場を所轄している部署の担当者は、両方のカードを所持していないと不便なため、図３のような磁気記録部と、非接触ＩＣ記録部を併せ持つハイブリッドカードのニーズが生じた。
【００１６】
図３で判るように、目視情報５が施され、磁気ストライプ（４）が形成されたカード（１）がカードの面積の半分程度しかないカードケース２に収納されている。そして磁気記録部が形成されたカード基体部分がカードケースから半分近くはみ出している。
その結果、カードをカードケースに収納させたままの状態でカードケース側を指で支え、カードをカードリーダに差込み手を移動させることによって磁気情報を読み取らせることができる。
また、カードケースの裏側には非接触カード用の部材が実装されているために非接触型ＩＣカード対応装置にカードをかざすことによって非接触型ＩＣカードとして使用することができる。
磁気カードを読み取り装置の中にモータドライブ方式で移動させて読み取りを行う装置があるが、カード挿入口の幅を広く変更することによってケースに収納したままの状態で対応させることができる。
【００１７】
図４は、図３のＢ−Ｂ線断面図であるが、カードケース２の深さ方向の長さがカードの短辺の凡そ半分しかない。
この図に使用している他の符号の内容は、図２で説明した内容と同様であるため詳細な説明は省略する。
【００１８】
図５に示すカードケースは、カードが接触型ＩＣカードの場合で、非接触型ＩＣカード対応装置でも利用できる接触型非接触型両用カードとしてのハイブリッドカードである。このようなハイブリッドカードは、例えば、銀行のキャッシュディスペンサを使用するカード等に利用される。銀行の窓口端末は、接触型ＩＣカードのキャッシュカード対応になっているが、例えば、非接触型ＩＣカードシステムを導入している会社の社員証がこの銀行のキャッシュカードと兼用になっている場合である。金融機関は、キャッシュカードをオフラインでも暗証照合可能で、偽造し難いＩＣカード（接触型ＩＣカード）に切り替え始めた。図５に示す例では、カードケース２は、カード基体の長辺の半分近い長さになっていて、この外部端子が剥き出しになった側を読み出し書込み装置に挿入することによって接触型ＩＣカードとして使用する。接触型ＩＣカードの読出し書き込み装置は、カード全体を装置の中に取り込んで処理する方式よりも、外部端子が実装されているカードの約半分を装置に挿入して処理するタイプが多い。一方カードケース２に実装された非接触型ＩＣカード用部材によって会社に設置されている非接触カード読み取り書込み装置とも交信することができる。
【００１９】
図６は、図５のＣ−Ｃ線断面図であるが、カードケース２のカード収納部は、カード基体１の長さの半分近くしかない。その他に使用されている符号に関しては図２と共通なため詳細な説明は省略する。
【００２０】
図７は、カードケース裏面のベース材料の表面にＩＣカード用部材を組み込んだ状態を示す概念図である。カードケースの裏側材料２２にはアンテナ（またはアンテナ回路）２０２及び、アンテナ回路のブリッジ２０３が形成され、アンテナ回路の終端にはＩＣチップ２０１が接続されている。図に示すカードケースの形状は、カードケースの短辺が、カードケースに収納されるカードの略半分の大きさになっており、前述の例では図３の磁気記録カード対応の形状になっている。以下、カードケース裏側材料に非接触ＩＣカード用部材を形成する方法の一例について説明する。まず、図で示すよりも大きなサイズの裏面ベース材料に金属箔が全面に接着され、金属箔の上に印刷等の方法でアンテナ回路パターンのレジストを形成する。形成されたレジストの上からエッチングによってパターン以外の金属箔を除去すると、アンテナ回路２０２が図のように形成される。その後、アンテナ回路の上の印刷印刷インキを除去し絶縁材料でブリッジ２０３が形成され、ＩＣチップに接続される回路部とアンテナの外側終端が前記ブリッジの上で導電性の印刷インキなどによって接続される。アンテナ回路ができ上がるとＩＣチップがアンテナ回路の終端位置に合わせて導電性の接着剤で固定される。上述のように、アンテナ回路を金属箔のエッチングによって形成する方法以外に、導線を渦巻き状に形成する方法や、スクリーン印刷機と導電性のインキによってアンテナ回路を形成する方法などがある。
【００２１】
前述のようにして形成された非接触ＩＣカード用の部材面がカードケースとしての使用に耐えられるように、アンテナ回路やＩＣチップを保護材料で被覆する。図８に示すように、カードケースの裏側材料２２の上に形成されたアンテナ回路２０２は、図示していないが、ＩＣチップと一緒に保護材料で被覆される。図８のように保護材料をカードケースの裏側材料の片面だけに形成する場合と、図示していないがカール防止のために両面に形成する場合もある。また、カードケースの裏側材料の上に被覆された保護材料は、カードケースの表材料の透明フィルム等と接着する際の接着剤の役割を果たす。
【００２２】
図９を参照して、カードケースの裏側材料に組み込まれたＩＣチップの機能について説明する。アンテナ２０２に接続されたアンテナ端子を含む入出力回路２３１は、ＩＣチップ２０１の電源回路２３２、クロック抽出回路２３３、復調器２３４の入力部が接続され、それぞれの出力部が処理回路２３６に接続されている。また処理回路２３６の出力部が変調器２３５に接続され、この変調器２３５の出力部が入出力回路２３１に接続され、処理回路２３６にはメモリ２３７が接続されている。非接触ＩＣカードのアンテナは、送信と受信を兼用し、外部送受信端末から送信された電磁波を受信して電力を発生させ、同時に送信されるデータを受信し、処理回路にて受信データを処理し、アンテナを経由して外部端末にデータを送信する。入出力回路２３１から受信した電磁波によって電源回路２３２は電力を発生させて処理回路２３６に電力を供給する。また入出力回路２３１にはクロック抽出回路２３３の入力部が接続され、処理回路２３６にクロック信号を供給する。また、入出力回路２３１には復調器２３４の入力部が接続され、送受信端末からの復調信号を処理回路２３６に出力する。更にメモリ２３７からデータを読み出し、変調器２３５に送出し、入出力系回路２３１から送受信端末にデータを送信する。本図における処理回路（ＣＰＵともいう。）２３６には、ＩＣカードのアプリケーションに対応するプログラムが格納されているＲＯＭに接続され、更にデータ処理を行うためのＲＡＭを内蔵している。前記「処理回路」は機能的に分離して、ＣＰＵ、ＲＯＭ、ＲＡＭ等と記述する場合もある。また、ＩＣカードのメモリ２３７には書き替え可能なＥＥＰＲＯＭなどが多く使用される。
【００２３】
（材料）図６、図７、図８を参照して、本発明のカードケースに使用される材料の一例について説明する。図６に示すカードケースの透明フィルム２１は、例えば、２軸延伸のポリエチレンテレフタレートフィルムに不飽和ポリエステル共重合体を溶液塗布、カーテンコート、印刷によって作製する。透明フィルムとして１２〜２５μｍのポリエチレンテレフタレートが使用され、不飽和ポリエステル共重合体は２〜１０μｍに塗布される。一方、カードケースの裏側材料２２は、１２〜２５μｍの厚さの２軸延伸のポリエチレンテレフタレートに５〜１０μｍの厚さのアルミニウム箔を貼りつけ、印刷によってアンテナ回路パターンを印刷し、非印刷部分をエッチングによって除去してアンテナ回路２０２を形成し、ＩＣチップ２０１を接着し、保護層兼接着剤層２３として不飽和ポリエステル共重合体層を前述同様の方法によって形成して非接触ＩＣカード用部材を作製する。前記透明フィルム、ＩＣチップ及びアンテナ回路が形成されたカードケースの裏側材料フィルムは、不飽和ポリエステル共重合体面同士を向かい合わせて熱、高周波等の手段によって「コ」の字状にシールし、金属の刃型、または炭酸ガスレーザーなどでカードケースの仕上りサイズに切断する。カードケースの大きさは、カードをカードケースに収納したときに遊びが無いようにきつく作成する。前記、材料及び使用する加工手段はこれに限定されるものではなく、また厚さに関してもこれに拘るものではない。
【００２４】
【発明の効果】
本発明のカードケースに収納されたカードは、一枚のカードで非接触ＩＣカードの他に複数の装置に対しても対応でき、更に、カード媒体にかかるコストを低く抑えることができることが特徴である。
また、本発明のカードケースは従来使用のカードが、非接触ＩＣカード方式に切り替わる過渡期に有効である。
【図面の簡単な説明】
【図１】本発明のカードケースについて説明するための図
【図２】図１のＡ−Ａ線断面図
【図３】カードが磁気ストライプ付きカードの場合について説明するための図
【図４】図３のＢ−Ｂ線断面図
【図５】カードが接触型ＩＣカードの場合について説明するための図
【図６】図５のＣ−Ｃ線断面図
【図７】カードケースの裏側材料に非接触型ＩＣカード部材を組みこんだ状態の一例について説明するための図
【図８】図７のＤ−Ｄ線断面図
【図９】カードケースの裏側材料に組みこまれたＩＣチップの機能について説明するためのブロック図
【符号の説明】
１      カード基体
２      本発明のカードケース
３      ＩＣモジュール
４      磁気ストライプ、磁気記録部
５      目視情報
２１    透明フィルム
２２    カードケースの裏側材料
２３    接着剤層兼保護材料層
２０１  ＩＣチップ
２０２  アンテナ（アンテナ回路）
２０３  ブリッジ
２１２  接合（シール）部
２３１  入出力回路
２３２  電源回路
２３３  クロック抽出回路
２３４  復調器
２３５  変調器
２３６  処理回路
２３７  メモリ
【図１】
0004028223.tif 000002
【図２】
0004028223.tif 000003
【図３】
0004028223.tif 000004
【図４】
0004028223.tif 000005
【図５】
0004028223.tif 000006
【図６】
0004028223.tif 000007
【図７】
0004028223.tif 000008
【図８】
0004028223.tif 000009
【図９】
0004028223.tif 000010